(57)【要約】      （修正有）【課題】冷温水温度境界点の制動機能を有するセラミックカートリッジ改良構造を提供する。【解決手段】バルブハウジング、回転駆動台、ブレーキ弁ハンドル、回転支持軸、底部台座とセラミックバルブプレートセットを備える。回転支持軸の端部に突当て部が形成され、突当て部は、回転駆動台の突出管部の外側に突出し、バルブハウジングの縮径リングと回転駆動台の突出管部との間にフレキシブルな制動スプリングプレートが設けられ、制動スプリングプレートに制動縁部が形成され、突当て部が回転駆動台の動作に伴って動き、制動縁部の位置に合うと、フレキシブルな嵌合いによる位置決め効果が生じ、制動スプリングプレートの設置箇所に対応するところにスプリングプレート位置決めユニットが設けられ、それにより、制動スプリングプレートの設置状態が制限される。【選択図】図１
0003166820.tif 000002
【実用新案登録請求の範囲】
【請求項１】
上部口と底部口を有する中空筒状体のバルブハウジングが備わり、該上部口に縮径リングが設けられ、
内台座と縮径状の突出管部を有する回転駆動台が備わり、該内台座は、該バルブハウジング内における上部口の片側の近くに設けられ、該突出管部は、該バルブハウジングの縮径リングを通るように設けられ、該回転駆動台の真ん中に貫通した弁ハンドル収納孔、また、ラジアル方向に貫通した軸孔が設けられ、
該回転駆動台の弁ハンドル収納孔に、回転可能なブレーキ弁ハンドルが設けられ、該ブレーキ弁ハンドルの内側に連動台が設けられ、該ブレーキ弁ハンドルの外側に該回転駆動台の突出管部がはみだしている形で設けられ、
該回転駆動台の突出管部にある軸孔に、該ブレーキ弁ハンドルと共に該ブレーキ弁ハンドルの回転支持部品として用いられる回転支持軸が設けられ、
該バルブハウジングの底部口に底部台座が設けられ、該底部台座は、冷水導入孔、温水導入孔と出水導孔を備え、
該バルブハウジング内に、固定バルブプレートと回転バルブプレートを有するセラミックバルブプレートセットが備わり、該固定バルブプレートは、該底部台座の内側に固定され、冷水貫通孔、温水貫通孔と出水貫通孔からなり、該回転バルブプレートは、該固定バルブプレートの内側に重なるように設けられ、該ブレーキ弁ハンドルの内側にある連動台と連動し、動かされるように設けられ、該回転バルブプレートは、水流制御貫通槽を備え、該固定バルブプレートの冷水貫通孔、温水貫通孔、出水貫通孔に対応するように設けられ、
該回転支持軸の端部に直接、カーブ状または錐状体の突当て部が備わり、該突当て部は、該回転駆動台の突出管部の外側に突出し、
該バルブハウジングの縮径リングと回転駆動台の突出管部の間に、フレキシブルなプレートである制動スプリングプレートが備わり、該制動スプリングプレートに制動縁部が形成され、該回転支持軸の突当て部が回転駆動台の動作に伴って動き、與該制動縁部の位置に合うと、フレキシブルな嵌合いによる位置決め効果が生じ、
該制動スプリングプレートの設置箇所に対応するところにスプリングプレート位置決めユニットが備わり、それにより、該制動スプリングプレートの設置状態が制限されることを特徴とする、冷温水温度境界点の制動機能を有するセラミックカートリッジ改良構造。
【請求項２】
前記突当て部は、前記回転支持軸の両端部に形成され、それに合わせて、前記制動スプリングプレートに二つの制動縁部が形成され、また、該制動スプリングプレートは、文字“Ｃ”の形に設けられ、二つの端部が形成され、該スプリングプレート位置決めユニットは、二つの折縁、二つの嵌合間と一つのバックルを備え、二つの該折縁は外向きに曲がって該制動スプリングプレートの二端部に形成されているが、二つの該折縁の嵌め込み、位置決めを行うために、二つの該嵌合間は、該バルブハウジングの縮径リングに設けられているが、該回転駆動台の突出管部の外側には嵌込み凹縁が形成され、該バックルが該嵌込み凹縁に嵌め込められ、位置決められるように設けられていることを特徴とする、請求項１に記載の冷温水温度境界点の制動機能を有するセラミックカートリッジ改良構造。
【考案の詳細な説明】
【技術分野】
【０００１】
本考案は、セラミックカートリッジ機構に関し、特に冷温水温度境界点制動の識別機能を有する新規の構造設計に関する。
【背景技術】
【０００２】
冷温水兼用タイプセラミックカートリッジは使用上、最も冷たいところから最も熱いところまでの水流モードの回転ストロークがとても短く、角度１８０°もないことから、ユーザが簡単にまたはうっかりと、最も熱い出水モードに切り替えて、火傷を負う恐れがある。このような冷温水兼用タイプセラミックカートリッジ及びその蛇口関連商品には、使用の際に安全性が確保できないという問題が内在する。
【０００３】
上述の問題について、業界において幾つかの改良式セラミックカートリッジ内部構造が研究、開発され、冷水モードを温水モードに切り替えるとき、ブレーキ弁ハンドルで制動機能が行われていることが分かり、ユーザが蛇口で、冷水モードを温水モードに切り替える際、一つの適当な障害点が設けられ、比較的に大きな力が加わることにより、該障害点を越えて、温水モードに切り替えることができることから、火傷の発生を避けられ、冷温水兼用蛇口に関する使用上の安全性を高める効果と目的が達成されることが分かった。
【０００４】
しかし、従来の冷温水温度境界点の制動機能を有するセラミックカートリッジには構造設計上、通常幾つかの問題点が残っている。それらは、例えば、構成部品が多く、材料費や組立費が高いこと、または障害点の制動反応が鈍く、認識效果が悪いこと、または異なるセラミックカートリッジに対応する制動設計がないことなどである。
【考案の開示】
【考案が解決しようとする課題】
【０００５】
本考案は、冷温水温度境界点の制動機能を有するセラミックカートリッジ改良構造を提供することを目的とし、解決しようとする課題は、より理想的で実用的な新式セラミックカートリッジ機構の開発を目指し、新規な構造を開発、達成することである。
【課題を解決するための手段】
【０００６】
本考案は、課題を解決するための技術手段として、上部口に縮径リングが設けられるバルブハウジングが備わり、該バルブハウジング内における上部口の片側の近くに設けられる内台座及びバルブハウジングの縮径リングを通るように設けられる突出管部を有する回転駆動台が備えられる。該回転駆動台には弁ハンドル収納孔と軸孔が設けられ、回転駆動台の弁ハンドル収納孔にブレーキ弁ハンドルが設けられ、該ブレーキ弁ハンドルの内側に連動台が設けられ、ブレーキ弁ハンドル外側に回転駆動台の突出管部がはみだしているが、突出管部にある軸孔に、ブレーキ弁ハンドルと共に、ブレーキ弁ハンドルの回転支持部品として用いられる金属製の回転支持軸が設けられ、バルブハウジングの底部口に、冷水導入孔、温水導入孔と出水導孔を有する底部台座が備わり、バルブハウジング内に、固定バルブプレートと回転バルブプレートを有するセラミックバルブプレートセットが備わり、該固定バルブプレートは底部台座の内側に固定され、冷水貫通孔、温水貫通孔と出水貫通孔からなり、回転バルブプレートは該固定バルブプレートの内側に重なるように設けられ、ブレーキ弁ハンドルの内側にある連動台と連動して動かされる。該回転バルブプレートは水流制御貫通槽を備え、固定バルブプレートの冷水、温水貫通孔と出水貫通孔に対応するように設けられている。回転支持軸の端部に突当て部が設けられ、該突当て部は、回転駆動台の突出管部の外側に突出している。金属製のフレキシブルなプレートで、バルブハウジングの縮径リングと回転駆動台の突出管部との間に制動スプリングプレートが設けられ、該制動スプリングプレートに制動縁部が形成され、回転支持軸の突当て部が回転駆動台の動作に伴って動き、該制動縁部の位置に合うと、フレキシブルな嵌合いによる位置決め効果が生じるが、制動スプリングプレートの設置箇所に対応するところにスプリングプレート位置決めユニットが設けられ、それにより、制動スプリングプレートの設置状態が制限されることを特徴とする該セラミックカートリッジであり、このような新規な設計により、本考案は従来技術に比べると、次のような効果が得られる。
【０００７】
一、最小限の部品数で、セラミックカートリッジは、冷温水温度境界点制動の識別機能を果たし、特に、材料費と組立費が削減されるという実用性、進歩性及び好適な産業経済効果があること。
ニ、比較的丈夫でかつ強力な制動作用が得られ、使用上の操作感が高くなり、使用寿命が延びるという実用性、進歩性があること。
三、該制動スプリングプレートの性質または形態の設計変更により、簡単に異なるセラミックカートリッジの制動点や操作感の設計ニーズに対応でき、産業界の多様なニーズを満たすことができること。
【０００８】
本考案による効果は以下のとおりである。
一、該バルブハウジングの縮径リングと回転駆動台の突出管部との間に制動縁部を有する制動スプリングプレート、また該回転支持軸の端部に制動縁部に合わせるための突当て部の設置により、最小限の部品数で、セラミックカートリッジは、冷温水温度境界点制動の識別機能を果たし、特に、材料費と組立費が削減されるという実用性、進歩性、好適な産業経済効果があること。
二、該制動スプリングプレートは金属製のフレキシブルなプレートで、この金属の硬質特性により、比較的丈夫でかつ強力な制動作用が得られ、使用上の操作感が高くなり、使用寿命が延びるという実用性、進歩性があること。
三、該バルブハウジングの縮径リングと回転駆動台の突出管部との間に制動縁部を有する制動スプリングプレート及び回転支持軸の突当て部の設置により、冷温水温度境界点制動の識別機能を果すことを技術特徴とすることによって、本考案は、該制動スプリングプレートの性質または形態の設計変更だけで、簡単に異なるセラミックカートリッジの制動点や操作感の設計ニーズに対応でき、産業界において既存のカートリッジと最小限の部品数で、冷温水温度境界点制動の識別機能を果たすことから、産業界の多様なニーズを満たすことができること。
【図面の簡単な説明】
【０００９】
【図１】本考案の好適な実施例の分解立体図。
【図２】本考案の好適な実施例の局所組立立体図。
【図３】本考案の回転駆動台と制動スプリングプレートの組立てに関する立体図。
【図４】本考案のバルブハウジングと制動スプリングプレートの組立てに関する立体図。
【図５】本考案の好適な実施例の平面図。
【図６】本考案の制動スプリングプレートと突当て部の対応状態図一。
【図７】本考案の制動スプリングプレートと突当て部の対応状態図二。
【図８】本考案の制動スプリングプレートと突当て部の対応状態図三。
【考案を実施するための形態】
【００１０】
図１〜図４に示すように、
中空筒状体で、上部口１１と底部口１２を有するバルブハウジング１０が備わり、該上部口１１に縮径リング１１０が設けられ、
内台座２１と縮径状の突出管部２２を備えた回転駆動台２０が設けられ、該内台座２１は、該バルブハウジング１０内における上部口１１の片側の近くに設けられ、該突出管部２２は、該バルブハウジング１０の縮径リング１１０を通るように設けられ、該回転駆動台２０の真ん中には貫通した弁ハンドル収納孔２３、また、ラジアル方向に貫通した軸孔２２０が設けられている。
【００１１】
該回転駆動台２０の弁ハンドル収納孔２３に回転可能なブレーキ弁ハンドル２４が設けられ、該ブレーキ弁ハンドル２４の内側に連動台２５が設けられ、該ブレーキ弁ハンドル２４の外側に該回転駆動台２０の突出管部２２がはみだしている。
【００１２】
金属材質またはプラスチック材質で作られ、該回転駆動台２０の突出管部２２にある軸孔２２０に設けられ、該ブレーキ弁ハンドル２４と共に、該ブレーキ弁ハンドル２４の回転支持部品として用いられる回転支持軸２６が備わり、
該バルブハウジング１０の底部口１２に底部台座３０が備わり、該底部台座３０は、冷水導入孔３１、温水導入孔３２と出水導孔３３を備えている。
【００１３】
該バルブハウジング１０内に、固定バルブプレート４１と回転バルブプレート４２を備えたセラミックバルブプレートセット４０が備わり、該固定バルブプレート４１は、該底部台座３０の内側に固定され、冷水貫通孔４１１、温水貫通孔４１２と出水貫通孔４１３からなり、該回転バルブプレート４２は、該固定バルブプレート４１の内側に重なるように設けられ、そして、該ブレーキ弁ハンドル２４の内側にある連動台２５と連動し、動かされる。該回転バルブプレート４２は、水流制御貫通槽４２１を備え、該固定バルブプレート４１の冷水貫通孔４１１、温水貫通孔４１２、出水貫通孔４１３に対応するように設けられている。
【００１４】
該回転支持軸２６の端部に直接、カーブ状または錐状体の突当て部２７が設けられ、該突当て部２７は、該回転駆動台２０の突出管部２２の外側に突出している。
【００１５】
該バルブハウジング１０の縮径リング１１０と回転駆動台２０の突出管部２２の間に、金属またはプラスチックのフレキシブルなプレートである制動スプリングプレート５０が備わり、該制動スプリングプレート５０に制動縁部５１が形成され、該回転支持軸２６の突当て部２７が回転駆動台２０の動作に伴って動き、該制動縁部５１の位置に合うと、フレキシブルな嵌合いによる位置決め効果が生じる。
【００１６】
該制動スプリングプレート５０の設置箇所に対応するところにスプリングプレート位置決めユニット６０が備わり、それにより、該制動スプリングプレート５０の設置状態が制限されることを特徴とする該セラミックカートリッジ。
【００１７】
該突当て部２７は、該回転支持軸２６の両端部に形成され、それに合わせて、該制動スプリングプレート５０に二つの制動縁部５１が形成されている。
【００１８】
該制動スプリングプレート５０はプレート体の曲がりにより、該制動縁部５１が形成されるが、それに対応するように、該回転駆動台２０の突出管部２２の内側には凹型縁２２１（図６〜図８に示す）が設けられ、該制動縁部５１が動いたときに収容される空間として用いられる。
【００１９】
該制動スプリングプレート５０は文字“Ｃ”の形に設けられ、二つの端部５０１が形成されるが、該スプリングプレート位置決めユニット６０は、二つの折縁６１、二つの嵌合間６２と一つのバックル６３を備えてなり、二つの該折縁６１は外向きに曲がって、該制動スプリングプレート５０の二端部５０１に形成されている。二つの該折縁６１の嵌め込み、位置決めを行うために、二つの該嵌合間６２は、該バルブハウジング１０の縮径リング１１０に設けられているが、該回転駆動台２０の突出管部２２外側には嵌込み凹型縁２２２が形成され、該バックル６３が該嵌込み凹縁２２２に嵌め込み、位置決められるように設けられている。
【００２０】
本考案に掲示したセラミックカートリッジの核心設計は、バルブハウジング１０の縮径リング１１０と回転駆動台２０の突出管部２２との間には、制動縁部５１を有する制動スプリングプレート５０が設けられること、また、該回転支持軸２６の端部には、制動縁部５１に対応の突当て部２７が形成されていることを技術特徴とし、図６〜図８に示す、冷温水兼用の  温水モードの突当て部２７と制動縁部５１の対応状態図において、ユーザが冷水を温水に切り替えるとき、該回転支持軸２６の突当て部２７が回転駆動台２０の逆方向連動と伴い、該制動縁部５１の位置に合うと、フレキシブルな嵌合いによる位置決め効果が生じ、セラミックカートリッジの冷温水温度境界点制動の識別機能を持つようになる。
【符号の説明】
【００２１】
１０    バルブハウジング
１１    上部口
１１０  縮径リング
１２    底部口
２０    回転駆動台
２１    内台座
２２    突出管部
２２０  軸孔
２２１  凹型縁
２２２  嵌込み凹縁
２３    弁ハンドル収納孔
２４    ブレーキ弁ハンドル
２５    連動台
２６    回転支持軸
２７    突当て部
３０    底部台座
３１    冷水導入孔
３２    温水導入孔
３３    出水導孔
４０    セラミックバルブプレートセット
４１    固定バルブプレート
４１１  冷水貫通孔
４１２  温水貫通孔
４１３  出水貫通孔
４２    回転バルブプレート
４２１  水流制御貫通槽
５０    制動スプリングプレート
５０１  端部
５１    制動縁部
６０    スプリングプレート位置決めユニット
６１    折縁
６２    嵌合間
６３    バックル
【図１】
0003166820.tif 000003
【図２】
0003166820.tif 000004
【図３】
0003166820.tif 000005
【図４】
0003166820.tif 000006
【図５】
0003166820.tif 000007
【図６】
0003166820.tif 000008
【図７】
0003166820.tif 000009
【図８】
0003166820.tif 000010